(57)【要約】【課題】  ごく簡単な構成で製造コストを抑え、しかも手軽に、愛玩動物を安全に係留しておくことができる、愛玩動物用リードを提供する。【解決手段】  所定の長さＬを有するリード本体２とこのリード本体２一端側に設けた愛玩動物の首輪３に係止する連結部４と、リード本体２他端側に設けた手掛輪部５とを備え、この手掛輪部５に、前記愛玩動物の首輪３に係止する連結部４と手掛輪部５とを着脱可能に短絡する短絡連結手段６を設けている。  前記連結部４は、前記リード本体２の一端側に取り付けた回転ジョイントＪに回動自在な留具４ａで構成する。  前記リード本体２の手掛輪部４に設けた短絡連結手段６は、適宜な素材の輪部材で構成する。また、短絡連結手段６としては、前記留具４ａと同構成のものを用いてもよく、その他、周知のフック部材も可能である。【選択図】              図２
2005278514.tif 000002
【特許請求の範囲】
【請求項１】
所定の長さを有するリード本体とこのリード本体一端側に設けた愛玩動物の首輪に係止する連結部と、リード本体他端側に設けた手掛輪部とを備え、この手掛輪部に、前記愛玩動物の首輪に係止する連結部と手掛輪部とを着脱可能に短絡する短絡連結手段を設けたことを特徴とする愛玩動物用リード。
【請求項２】
前記短絡連結手段は輪部材であることを特徴とする請求項１記載の愛玩動物用リード。
【請求項３】
前記短絡連結手段はフック部材であることを特徴とする請求項２記載の愛玩動物用リード。
【発明の詳細な説明】
【技術分野】
【０００１】
本発明は、愛玩動物をポールなどに支障なく係留させることのできる愛玩動物用リードに関するものである。
【背景技術】
【０００２】
愛玩動物、特に犬を屋外に散歩などに引き連れる手段として用いられるリードは、愛玩動物の首に巻く首輪に一端側を連結し、他端側に、手を通して掴む手元輪を設けた、所定の長さを有する帯紐状のもの、チェーン等で構成されたものである。このリードの長さは、屋外の適宜なポール等に係留させておくときなど、ある程度、愛玩動物が運動が自由にできるような長さを有しているものが多い。
しかしながら、そのリード１の長さＬのまま、例えばスーパーマーケット等、道路に面したり、人通りの多い、入り口近くの道路脇のポールＰなどに繋いでおいたままにすると、愛玩動物は、リードの長さＬが許す範囲で動き回ることとなり、自動車事故を起こしたり、幼児が近づきすぎたときなど、幼児に恐怖感を与えたり、危害を加えるおそれがあるというように、数々のトラブルが予想される（図３参照）。
【０００３】
そこで、例えば、リードの長さを調節できるものとして、
【特許文献１】特開２００３−１８９７５２号公報  この公報におけるリードでは、係留するに適した標準の長さを有し、且つ、自動車の座席等に係留しておく際に、行動範囲をごく制限した長さに調節できるように構成されている。そのために、前記リードでは、愛玩動物に連結しているリード本体の途中の長さ調節できる二重部を、自動車の座席、人通りの多い道路脇のポールなどの係留元に引っ掛けることにより、リードの全長よりも短い長さで係留できるようにしている。
【発明の開示】
【発明が解決しようとする課題】
【０００４】
しかしながら、上記のようなリードでは、リード本体を形作る二重部のために、種々の止具、ずれ止具等が必要であり、その分、部品点数が増加して製造コスト高となる。しかも前記二重部が係留元から外れないように止具やずれ止具等を調整する手間がかかるなど、取り扱いが面倒である。
本発明はこのような課題を改善するために提案されたものであって、ごく簡単な構成で製造コストを抑え、しかも手軽に、愛玩動物を安全に係留しておくことができる、愛玩動物用リードを提供することを目的とする。
【課題を解決するための手段】
【０００５】
前記した課題を解決するために、本発明では、請求項１において、所定の長さを有するリード本体とこのリード本体一端側に設けた愛玩動物の首輪に係止する連結部と、リード本体他端側に設けた手掛輪部とを備え、この手掛輪部に、前記愛玩動物の首輪に係止する連結部と手掛輪部とを着脱可能に短絡する短絡連結手段を設けた愛玩動物用リードを提案する。
また本発明では、請求項２において、前記短絡連結手段は輪部材である愛玩動物用リードを提案する。
さらに本発明では、請求項３において、前記短絡連結手段はフック部材である愛玩動物用リードを提案する。
【発明の効果】
【０００６】
本発明によれば、ごく簡単な構成で製造コストを抑えることができ、しかも手軽に、愛玩動物を安全に係留しておくことができる、愛玩動物用リードを提供することができる。
【０００７】
請求項１によれば、愛玩動物を屋外に散歩などに引き連れる際は、リード本体本来の長さで、ある程度、愛玩動物が運動が自由にできる状態で引き連れる。
そして、道路脇に一時、係留しておく場合は、ポールなどに、リード本体を少なくとも一回、回し込んで、愛玩動物の首輪に係止する連結部に、手を通して掴む手掛輪部を持っていって、短絡連結手段により、前記愛玩動物の首輪に係止する連結部と手掛輪部とを連結することで、ごく限られた長さで、愛玩動物を係留しておくことができる。
【０００８】
請求項２によれば、手掛輪部に遊嵌保持された輪部材を、愛玩動物の首輪に係止する連結部に係合するだけで、リード本体の有効長を制限されたものとすることができる。
【０００９】
請求項３によれば、手掛輪部に保持されたフック部材を、愛玩動物の首輪に係止する連結部に係合するだけで、リード本体の有効長を制限されたものとすることができる。
【発明を実施するための最良の形態】
【００１０】
以下、本発明にかかる愛玩動物用リードにつき、一つの実施の態様を挙げ、添付の図面に基づいて説明する。なお、ここでは、図３で説明したこれまでのリード１と対応する構成のものは同符号を付すものとする。
【実施例１】
【００１１】
図１に愛玩動物用リード１を示す。すなわちこの愛玩動物用リード１では、所定の長さＬを有するリード本体２とこのリード本体２一端側に設けた愛玩動物の首輪３に係止する連結部４と、リード本体２他端側に設けた手掛輪部５とを備え、この手掛輪部５に、前記愛玩動物の首輪３に係止する連結部４と手掛輪部５とを着脱可能に短絡する短絡連結手段６を設けている。
【００１２】
前記リード本体２は、例えば革製の長尺な帯状物で構成している。勿論、この他、ニット状帯、合成樹脂製帯等、素材は適宜である。このリード本体２の一端側は連結部４（後述）を取り付けるために、連結部４の回転ジョイントに通して、一端側を少量折り返して互いに鋲止めしている。また、前記一端側を前記連結部４の回転ジョイントに通して折り返して接着、縫着するようにしてもよい。
一方、前記リード本体２の他端側における手掛輪部４は、手指を余裕をもって差し入れて握ることができるループを形成するように、他端側を折り返して互いに鋲止め（または接着、あるいは縫着）している。
【００１３】
前記首輪３は、革製のベルトで構成することができる。勿論、リード本体２同様、他の素材として、ニット状帯、合成樹脂製帯等も可能である。
上記首輪３は、周知の構成のものでよく、愛玩動物の首に合わせて調節できる調節具３ａを有している。また、首輪３には、前記連結部４と結合する輪環３ｂを備えている。
【００１４】
前記連結部４は、周知のものであり、前記リード本体２の一端側に取り付けた回転ジョイントＪに回動自在な留具４ａで構成している。この留具４ａには、一部を欠いた略Ｃ状の留め輪Ｇと、ばね力により留め輪Ｇの欠いた部分を閉止する閉止するロック部材（図示省略）と、このロック部材をばねの付勢力に抗して変位させて、留め輪Ｇの欠いた部分を開放するレバーＬｅとで構成している。
すなわち前記リード本体２は前記首輪３に、前記留め輪Ｇに通した首輪３側の輪環３ｂを介し、前記ロック部材で脱落しないように連結する構成である。
勿論、前記連結部４は、上記のような構成のものに限らず、ループ状のものを着脱可能に止め着けるものであれば適宜である。
【００１５】
そして前記リード本体２の他端側における手掛輪部４には、短絡連結手段６である適宜な素材の輪部材を挿通保持している。
なお、前記短絡連結手段６としては、前記留具４ａと同構成のものを用いてもよく、その他、周知のフック部材も可能である。
【００１６】
以上のような愛玩動物用リード１において、愛玩動物を屋外に散歩などに引き連れる際は、リード本体２本来の長さＬで、ある程度、愛玩動物が運動が自由にできる状態で引き連れる（図１参照）。
そして、道路脇に一時、ポールＰなどに係留しておく場合は、リード本体２を少なくとも一回、回し込んで、愛玩動物の首輪３に係止する連結部４に、手を通して掴む手掛輪部５を持っていって、短絡連結手段６である輪部材により、前記愛玩動物の首輪３に係止する連結部４と手掛輪部５とを連結することで、ごく限られた長さで、愛玩動物を係留しておくことができる（図２参照）。
【００１７】
その場合、飼い主は、リード本体２の一端側に取り付けた連結部４である留具４ａを、レバーＬｅにより、ばねの付勢力に抗してロック部材を変位させて、留め輪Ｇの欠いた箇所を開放し、前記短絡連結手段６である輪部材を留め輪Ｇ内に入れ、レバーＬｅを離すことで、前記留め輪Ｇに通した輪部材を、ロック部材で脱落しないように保持することができる。
【００１８】
なお、前記リード本体２をポールＰに一回、回し込んだため、愛玩動物は、リード本体２の長さは略Ｌ／２となり、その分、愛玩動物の運動が制限され、リード本体２本来の長さＬで係留されている場合に比較して、愛玩動物が自動車等などにぶつかるような交通事故や、近づきすぎた子供、幼児に対して恐怖感を与えたり、危害を加えるなどのトラブルを、避けることができる。
勿論、必要に応じて、前記リード本体２をポールＰに一回だけでなく、２、３回巻き付けることで、より愛玩動物の運動を制限して、上記のトラブルを防ぐことができる。
【００１９】
以上のように、本発明の愛玩動物用リード１は、愛玩動物の首輪３に係止する連結部４と手掛輪部５とを着脱可能に短絡する短絡連結手段６のみでリード本体２の長さを調節できるから、これまでのリードに比較して部品点数を減らし、製造コストを抑えることができる。
【図面の簡単な説明】
【００２０】
【図１】本発明にかかる愛玩動物用リードの一つの実施の形態を示す、要部拡大図と全体斜視説明図である。
【図２】本発明にかかる愛玩動物用リードの使用状態を示す、斜視説明図である。
【図３】従来の愛玩動物用リードの使用状態を示す、斜視説明図である。
【符号の説明】
【００２１】
１                            愛玩動物用リード
２                            リード本体
３                            首輪
３ａ                          調節具
３ｂ                          止輪
４                            連結部
４ａ                          留具
５                            手掛輪部
６                            短絡連結手段
Ｊ                            回転ジョイント
Ｇ                            留め輪
Ｌｅ                          レバー
Ｐ                            ポール
【図１】
2005278514.tif 000003
【図２】
2005278514.tif 000004
【図３】
2005278514.tif 000005